(57)【要約】【課題】軸受構造を簡素化して低価格化を図った電動機を提供する。【解決手段】電動機１０は固定子１１と、回転軸１２に固定されて固定子１１内で回転する回転子１３とから成る。回転子１３の上側において回転軸１２を回転自在に支承する軸受（ボールベアリング）１４を設ける。回転軸１２の下端に湾曲面部１２Ａを形成する。湾曲面部１２Ａが当接する当接部材１８を設ける。回転軸１２下端の位置を保持する保持手段（当接部材）１８を備える。【選択図】　　　図３
2004015940.tif 000002
【特許請求の範囲】
【請求項１】
固定子と、回転軸に固定されて前記固定子内で回転する回転子とから成る電動機において、
前記回転子の上側において前記回転軸を回転自在に支承する軸受と、
前記回転軸の下端に構成された湾曲面部と、
該湾曲面部が当接する当接部材と、
前記回転軸下端の位置を保持する保持手段とを備えたことを特徴とする電動機。
【請求項２】
前記保持手段は、前記当接部材に湾曲して形成された凹所にて構成され、前記回転軸の湾曲面部は前記凹所に当接することを特徴とする請求項１の電動機。
【請求項３】
前記保持手段は、前記当接部材の前記回転子側に設けられ、断面円形の貫通孔が形成された保持部材にて構成され、前記回転軸の下端は前記保持部材の貫通孔内に回転自在に挿入されていることを特徴とする請求項１の電動機。
【請求項４】
固定子と、回転軸に固定されて前記固定子内で回転する回転子とから成る電動機において、
前記回転子の上側において前記回転軸を回転自在に支承する軸受と、
前記回転軸の下端に形成され、先端に行くに従って先細とされた勾配部と、この勾配部の先端に形成された湾曲面部と、
前記回転軸下端の位置を保持する保持手段とを備え、
該保持手段は、前記回転軸の下端が挿入される係合孔を有し、
該係合孔の底面は、前記勾配部より鈍角の逆円錐形状とされて、前記湾曲面部は前記係合孔の底面に線接触することを特徴とする電動機。
【発明の詳細な説明】
【０００１】
【発明の属する技術分野】
固定子と、回転軸に固定されて前記固定子内で回転する回転子とから成る電動機に関するものである。
【０００２】
【従来の技術】
従来、この種電動機としての隈取りモータは、ブラシ整流子を持たないため構造が簡単で堅牢安価であると共に、低騒音、長寿命である。また、商用電源で直接駆動可能で特別な電源を必要としない等の長所を有しており、各種送風用ファンモータとして広く利用されている。
【０００３】
この隈取りモータの固定子内で回転する回転子には回転軸が設けられており、この回転軸は回転子の上下近傍が軸受にて回転自在に支承されているのが一般的であった。
【０００４】
以下、隈取りモータの構成について図９、図１０を参照しながら説明する。図に示すように、隈取りモータ１００は、絶縁紙を介してコイルが捲回された固定子１１１と、この固定子１１１の内側に配設された回転子１１３と、この回転子１１３に圧入などによって取り付けられた回転軸１１２と、これらを収納するブラケット１１５とから構成されている。
【０００５】
該回転軸１１２は回転子１１３の上下に延在しており、回転子１１３上側に延在する回転軸１１２はブラケット１１５上方に突出した上突出部１１６内に設けられたボールベアリング１１４に回転自在に支承されると共に、回転子１１３下側に延在する回転軸１１２はブラケット１１５下方に突出した下突出部１１７内に設けられたボールベアリング１１４に回転自在に支承されている。
【０００６】
また、１１９はコイル状のスプリングで、このスプリング１１９はボールベアリング１１４と回転子１１３間に設けられ、回転軸１１２を所定の付勢力で常時下突出部１１７側に付勢している。これによって、回転子１１３が上下方向に振れてしまうのを防止している。また、１２０はボルト、１２０Ａはナットで、ブラケット１１５と固定子１１１とを固定している。
【０００７】
【発明が解決しようとする課題】
しかしながら、上記従来の構成の電動機は、回転子の上下をボールベアリングなどで構成した軸受で回転軸を支承するものであった。該ボールベアリングなどで構成した軸受は高価なため、電動機のコストが高騰してしまう問題があった。そこで、価格をもっと低減させた電動機の開発が望まれていた。
【０００８】
本発明は、係る従来技術の課題を解決するために成されたものであり、軸受を簡素化して低価格化を図った電動機を提供することを目的とする。
【０００９】
【課題を解決するための手段】
即ち、本発明の電動機は、固定子と、回転軸に固定されて固定子内で回転する回転子とから成るものであって、回転子の上側において回転軸を回転自在に支承する軸受と、回転軸の下端に構成された湾曲面部と、該湾曲面部が当接する当接部材と、回転軸下端の位置を保持する保持手段とを備えたことを特徴とする。
【００１０】
本発明によれば、固定子と、回転軸に固定されて固定子内で回転する回転子とから成る電動機において、回転子の上側において回転軸を回転自在に支承する軸受と、回転軸の下端に構成された湾曲面部と、該湾曲面部が当接する当接部材と、回転軸下端の位置を保持する保持手段とを備えたので、回転軸の湾曲面部を当接部材の保持手段で回転自在に支称することが可能となり、回転軸下部が運搬や衝撃などの振動によって回転軸の半径方向に振れてしまうのを確実に防止することができるようになる。これにより、例えば従来の回転子の上下に延在する回転軸を回転自在に支承していた下側の軸受を削除することが可能となる。従って、軸受を簡素化できて電動機の大幅な低価格化を図ることができるようになるものである。
【００１１】
また、請求項２の発明の電動機は、上記において、保持手段は、当接部材に湾曲して形成された凹所にて構成され、回転軸の湾曲面部は凹所に当接することを特徴とする。
【００１２】
請求項２の発明によれば、上記に加えて、保持手段は、当接部材に湾曲して形成された凹所にて構成され、回転軸の湾曲面部は凹所に当接するので、回転軸下端の湾曲面部を当接部材の凹所で保持することができる。これにより、回転軸下端の湾曲面部を更に安定して支承できるようになると共に、円滑に回転させることが可能となる。従って、例えば従来の回転子の上下に延在する回転軸を回転自在に支承していた下側のボールベアリングを削除して軸受を簡素化することができるようになるので、電動機を極めて安価に構成することができるようになるものである。
【００１３】
また、請求項３の発明の電動機は、請求項１において、保持手段は、当接部材の回転子側に設けられ、断面円形の貫通孔が形成された保持部材にて構成され、回転軸の下端は保持部材の貫通孔内に回転自在に挿入されていることを特徴とする。
【００１４】
請求項３の発明によれば、請求項１に加えて、保持手段は、当接部材の回転子側に設けられ、断面円形の貫通孔が形成された保持部材にて構成され、回転軸の下端は保持部材の貫通孔内に回転自在に挿入されているので、回転軸下端を保持部材の貫通孔で確実に保持することができる。これにより、回転軸下端を更に安定して支承できるようになると共に、円滑に回転させることが可能となる。従って、例えば従来の回転子の上下に延在する回転軸を回転自在に支承していた下側のボールベアリングを削除し軸受を簡素化することができるので、電動機を極めて安価に構成することができるようになるものである。
【００１５】
また、請求項４の発明の電動機は、固定子と、回転軸に固定されて固定子内で回転する回転子とから成るものであって、回転子の上側において回転軸を回転自在に支承する軸受と、回転軸の下端に形成され、先端に行くに従って先細とされた勾配部と、この勾配部の先端に形成された湾曲面部と、回転軸下端の位置を保持する保持手段とを備え、該保持手段は、回転軸の下端が挿入される係合孔を有し、該係合孔の底面は、勾配部より鈍角の逆円錐形状とされて、湾曲面部は係合孔の底面に線接触することを特徴とする。
【００１６】
請求項４の発明によれば、回転子の上側において回転軸を回転自在に支承する軸受と、回転軸の下端に形成され、先端に行くに従って先細とされた勾配部と、この勾配部の先端に形成された湾曲面部と、回転軸下端の位置を保持する保持手段とを備え、該保持手段は、回転軸の下端が挿入される係合孔を有し、該係合孔の底面は、勾配部より鈍角の逆円錐形状とされて、湾曲面部は係合孔の底面に線接触するので、係合孔にて回転軸の外れを防止しつつ、回転軸の下端側先端の接触抵抗を低減させることが可能となる。これにより、回転軸を円滑に回転させることができるようになると共に、運搬や衝撃などの振動によって回転軸に傾方向に負荷が働いた場合でも、回転軸が傾いてしまうのを確実に防止することが可能となる。従って、上側のボールベアリングの負担を大幅に軽減させることができるようになるものである。
【００１７】
特に、保持手段を合成樹脂にて形成することにより、例えば、従来の電動機のブラケット下方に突出させた下突出部内に容易に保持させることができるようになる。これにより、従来の電動機の下側の軸受に対して大幅に安価に構成することが可能となる。従って、従来の電動機のブラケット下方に突出させた下突出部を変更せず、保持手段を下突出部内に挿入させることができ、総じて電動機のコストを大幅に低減させることができるようになるものである。
【００１８】
【発明の実施の形態】
次に、図面に基づき本発明の実施形態を詳述する。図１は本発明の電動機１０の斜視図、図２は本発明の電動機１０の正面図、図３は本発明の電動機１０の縦断側面図をそれぞれ示している。電動機１０は各種送風用ファンモータとして広く利用されている隈取りモータで、剛性樹脂板などの絶縁紙を介してコイルが捲回された固定子１１と、この固定子１１の内側に配設された回転子１３と、この回転子１３に圧入などによって取り付けられた回転軸１２と、これらを収納するブラケット１５とから構成されている。
【００１９】
該回転軸１２は回転子１３の上下方向に延在しており、回転子１３上側に延在する回転軸１２はブラケット１５上方に突出した上突出部１６内に設けられた軸受（ボールベアリング）１４に回転自在に支承され、ボールベアリング１４上側に延在する回転軸１２に送風ファン（図示せず）が固定される。また、ブラケット１５には、下方に突出して断面略円形の下突出部１７が設けられている。下突出部１７の略中央には更に下方に突出して断面略円形の収納部１７Ｂが形成されており、この収納部１７Ｂは後述する当接部材１８を収納可能な大きさにて形成されている。
【００２０】
当接部材１８は、例えば耐クリープ性、摩擦・摩耗特性に優れているカーボン入りワッシャ、或いは、ポリスライダーなどのワッシャにて構成されている。該当接部材１８は厚さ約１ｍｍ、外径は前記収納部１７Ｂ内に係合可能な円形にて形成されている。また、当接部材１８は、図４に示す如き湾曲した凹所１８Ａ（本発明の保持手段に相当）が形成されており、この凹所１８Ａは後述する回転軸１２の湾曲面部１２Ａを略球面状態で受けられる形状にて形成されている。この凹所１８Ａは、当接部材１８が一側から回転軸１２の湾曲面部１２Ａ同等の形状の金型にて押圧されることにより形成されている。即ち、当接部材１８に形成した凹所１８Ａを回転軸１２の湾曲面部１２Ａ側に位置させた状態で、当接部材１８は下突出部１７に形成した収納部１７Ｂ内に収納される。
【００２１】
前記回転軸１２の下端は下方に突出した略球面状の湾曲面部１２Ａが形成されており、この湾曲面部１２Ａは当接部材１８の凹所１８Ａ内に回転自在に当接される。尚、１９はコイル状のスプリングで、このスプリング１９はボールベアリング１４と回転子１３間に設けられ、回転軸１２を所定の付勢力で常時当接部材１８側に付勢する。これによって、回転軸１２下端は当接部材１８の凹所１８Ａ内側に付勢され保持される。また、２０はボルト、２０Ａはナットで、ブラケット１５と固定子１１とを固定している。
【００２２】
このように、軸受の代わりに当接部材１８を設け、回転軸１２下端の湾曲面部１２Ａを当接部材１８の凹所１８Ａ内に当接させているので、回転軸１２下方を回転自在に支称することができるようになると共に、保持することができる。これにより、回転軸１２を円滑に回転させることが可能となる。従って、従来回転子の上下に延在する回転軸を回転自在に支承していた下側のボールベアリングを削除して回転軸１２下側の軸受を簡素化することができる。
【００２３】
次に、図５は本発明のもう一つの軸受を示している。この場合、回転軸１２下端を保持する保持手段として、断面円形の貫通孔２２Ａが形成された保持部材２２を設けている。この場合下突出部１７には収納部１７Ｂを形成していない。この保持部材２２も、当接部材１８同様の耐クリープ性、摩擦・摩耗特性に優れているカーボン入りワッシャ、或いは、ポリスライダーなどのワッシャにて構成されると共に、ブラケット１５の下突出部１７内に係合可能な円形に形成されている。保持部材２２の略中心には円形にくり抜かれた貫通孔２２Ａ（断面円形の貫通孔２２Ａ）が形成されると共に、この貫通孔２２Ａは、前記回転軸１２下端部分を回動自在に挿入可能な大きさに形成されている。即ち、保持部材２２は、貫通孔２２Ａ内に回転軸１２が挿入された状態で、僅かの隙間Ｓを有すると共に、回転軸１２下端の湾曲面部１２Ａが貫通孔２２Ａ内に僅か埋没する厚さとされている。
【００２４】
そして、ブラケット１５の下突出部１７内に保持部材２２同様の当接部材２１（この場合、保持部材２２に設けた貫通孔２２Ａに相当する貫通孔は設けていない）が挿入された後、貫通孔２２Ａを形成した保持部材２２が挿入され、回転軸１２が挿入される。この場合、回転軸１２下端の湾曲面部１２Ａは保持部材２２の貫通孔２２Ａ内に挿入され回転軸１２周囲が保持部材２２に回転自在に当接すると共に、湾曲面部１２Ａ先端は当接部材２１に点接触で当接する。これにより、貫通孔２２Ａにて回転軸１２下端の湾曲面部１２Ａを回転自在に保持できる。他は前述同様に構成されている。
【００２５】
尚、保持部材２２は、回転軸１２下端の湾曲面部１２Ａより上側の回転軸１２まで位置させたが、保持部材２２は当接部材２１同様の厚さのものを２枚若しくは複数枚挿入しても差し支えない。これにより、当接部材２１同様の厚さの保持部材２２を２枚若しくは複数枚使用することで規格内厚さの保持部材２２を使用することができるので、格別な厚い保持部材２２の金型を製作する必要もなくなり、コストの低減を図ることができる。
【００２６】
このように、断面円形の貫通孔２２Ａが形成された保持部材２２を当接部材２１の回転子１３側に設け、回転軸１２下端の湾曲面部１２Ａを保持部材２２の貫通孔２２Ａに回転自在に当接させると共に貫通孔２２Ａ角部で湾曲面部１２Ａを回転自在に保持しているので、回転軸１２の接触抵抗を大幅に低減させつつ、回転軸１２下端を貫通孔２２Ａで確実に保持することができる。これにより、回転軸１２を円滑に回転させることが可能となると共に、回転軸１２下端を安定して支承させることが可能となる。また、下突出部１７に収納部１７Ｂを形成していないので、製作コストを低減させることが可能となると共に、収納部１７Ｂ分の高さ寸法を低くすることができる。尚、当接部材２１と貫通孔２２Ａを形成した保持部材２２を下突出部１７に形成した収納部１７Ｂ内に収納するようにしても差し支えない。この場合、当接部材２１と貫通孔２２Ａを形成した保持部材２２とは収納部１７Ｂ内に収納可能な大きさに構成している。
【００２７】
更に、図６、図７に本発明の他の軸受を示している。この場合、回転軸１２の下端には先端に行くに従って先細とされた勾配部１２Ｂが形成されると共に、勾配部１２Ｂの先端に下方に突出した略球面状の湾曲面部１２Ａが形成されている。即ち、回転軸１２の下端は下方側に尖る形で円錐形状に形成され、この円錐形状の回転軸１２の下方先端を尖らせずに僅か短くしそこに略球面状の湾曲面部１２Ａが形成されている。該回転軸１２下端の円錐形状先端に形成した湾曲面部１２Ａは、前記した回転軸１２下端に形成した湾曲面部１２Ａより大幅に小さな球面状を呈している。
【００２８】
また、下突出部１７内には回転軸１２の下端を保持する軸受部材２５（本発明の保持手段に相当）が設けられている。この軸受部材２５も耐クリープ性、摩擦・摩耗特性に優れている。軸受部材２５は、例えば、ポリフェニレンサルファイド（ＰＰＳ）、ナイロン系（ＰＡ）などの自己潤滑性樹脂（給油不要）などの合成樹脂にて構成されている。この場合、軸受部材２５は従来の電動機のブラケット下方に突出させた下突出部内に容易に挿入可能な形状を呈している。尚、２８は軸受部材２５の成形精度を向上させるための肉盗透孔である。
【００２９】
該軸受部材２５には係合孔２６が形成されており、この係合孔２６は、上方を開口して回転軸１２を挿入可能に構成されている。また、係合孔２６の底面には傾斜部２６Ａが形成されており、この傾斜部２６Ａは、回転軸１２下端に形成した勾配部１２Ｂより鈍角の逆円錐形状に形成されている。そして、軸受部材２５の係合孔２６に回転軸１２が挿入された状態で、傾斜部２６Ａには回転軸１２先端に形成した湾曲面部１２Ａが接触すると共に、回転軸１２周囲と係合孔２６間は所定の隙間Ｓ（この場合、約０．０５乃至０．１０ｍｍ）を有している。
【００３０】
即ち、逆円錐形の傾斜部２６Ａ内に先端球面状の湾曲面部１２Ａが挿入されると傾斜部２６Ａと湾曲面部１２Ａは所定位置で環状に線接触する。これにより、回転軸１２下方は軸受部材２５の係合孔２６内に回転自在に支承される。尚、回転軸１２下端は前述同様の湾曲面部１２Ａ（この場合、傾斜部２６Ａを形成しない）であっても差し支えない。
【００３１】
このように、回転軸１２の下端方向先端に行くに従って先細の勾配部１２Ｂを形成し、この勾配部１２Ｂの先端に湾曲面部１２Ａを形成すると共に、回転軸１２下端の位置を保持する軸受部材２５を設け、この軸受部材２５を下突出部１７内に挿入している。そして、軸受部材２５に回転軸１２の下端が挿入される係合孔２６を形成し、この係合孔２６の底面に回転軸１２の下端に形成した勾配部１２Ｂより鈍角の逆円錐形状の傾斜部２６Ａを形成しているので、回転軸１２の下端方向先端に形成した湾曲面部１２Ａと傾斜部２６Ａとを線接触させることができる。
【００３２】
これにより、係合孔２６にて回転軸１２の外れを防止しつつ、回転軸１２下端側の先端の接触抵抗を低減させることが可能となり、回転軸１２を円滑に回転させることができるようになると共に、運搬や衝撃などの振動によって回転軸１２が傾く方向に負荷が働いた場合でも、回転軸１２が傾いてしまうのを確実に防止することができる。また、回転軸１２下端を係合孔２６内に挿入しているので、電動機１０の運搬や衝撃などの振動によって回転軸１２が傾いてしまうのを確実に防止することが可能となる。これにより、回転軸１２の傾きを確実に制御することができるので、回転軸１２の傾きによって上側のボールベアリング１４に負担がかかってしまう不都合を確実に防止することができる。
【００３３】
次に、図８に本発明の他の軸受を示している。この場合、回転軸１２の下端は前述同様の湾曲面部１２Ａ（勾配部１２Ｂを形成せず）が形成されている。また、軸受部材３０は下突出部１７内に挿入可能なベース部３１が形成され、このベース部３１に保持壁３２が立設されると共に、保持壁３２内部に湾曲面部１２Ａ周囲全体を支承可能な凹陥形状の係合孔３３が凹陥形成されている。尚、軸受部材３０は軸受部材２５同様耐クリープ性、摩擦・摩耗特性に優れている。軸受部材２５は、例えば、ポリフェニレンサルファイド（ＰＰＳ）、ナイロン系（ＰＡ）などの自己潤滑性樹脂（給油不要）などの合成樹脂にて構成されている。
【００３４】
この係合孔３３によって、回転軸１２の下端を回動自在に支承することができる。軸受部材３０を簡単な構造としており、回転軸１２の下端は勾配部１２Ｂを形成せずに湾曲面部１２Ａだけの簡単な構造なので製造コストを低減させられる。即ち、回転軸１２下端を従来のボールベアリングの軸受の代わりに合成樹脂の軸受部材３０を設けているので、電動機１０を極めて安価に構成することが可能となる。
【００３５】
尚、実施例では、電動機１０を隈取りモータで説明したが、電動機１０は隈取りモータに限らず他の電動機（モータ）でも差し支えない。
【００３６】
また、電動機１０は一般的に送風ファンが固定された回転軸１２を上側に使用する電動機で説明したが、電動機１０は送風ファンが固定された回転軸１２を横、或いは、下側で使用するものでも差し支えない。
【００３７】
【発明の効果】
以上詳述した如く本発明によれば、固定子と、回転軸に固定されて固定子内で回転する回転子とから成る電動機において、回転子の上側において回転軸を回転自在に支承する軸受と、回転軸の下端に構成された湾曲面部と、該湾曲面部が当接する当接部材と、回転軸下端の位置を保持する保持手段とを備えたので、回転軸の湾曲面部を当接部材の保持手段で回転自在に支称することが可能となり、回転軸下部が運搬や衝撃などの振動によって回転軸の半径方向に振れてしまうのを確実に防止することができるようになる。これにより、例えば従来の回転子の上下に延在する回転軸を回転自在に支承していた下側の軸受を削除することが可能となる。従って、軸受を簡素化できて電動機の大幅な低価格化を図ることができるようになるものである。
【００３８】
また、請求項２の発明によれば、上記に加えて、保持手段は、当接部材に湾曲して形成された凹所にて構成され、回転軸の湾曲面部は凹所に当接するので、回転軸下端の湾曲面部を当接部材の凹所で保持することができる。これにより、回転軸下端の湾曲面部を更に安定して支承できるようになると共に、円滑に回転させることが可能となる。従って、例えば従来の回転子の上下に延在する回転軸を回転自在に支承していた下側のボールベアリングを削除して軸受を簡素化することができるようになるので、電動機を極めて安価に構成することができるようになるものである。
【００３９】
また、請求項３の発明によれば、請求項１に加えて、保持手段は、当接部材の回転子側に設けられ、断面円形の貫通孔が形成された保持部材にて構成され、回転軸の下端は保持部材の貫通孔内に回転自在に挿入されているので、回転軸下端を保持部材の貫通孔で確実に保持することができる。これにより、回転軸下端を更に安定して支承できるようになると共に、円滑に回転させることが可能となる。従って、例えば従来の回転子の上下に延在する回転軸を回転自在に支承していた下側のボールベアリングを削除し軸受を簡素化することができるので、電動機を極めて安価に構成することができるようになるものである。
【００４０】
また、請求項４の発明によれば、回転子の上側において回転軸を回転自在に支承する軸受と、回転軸の下端に形成され、先端に行くに従って先細とされた勾配部と、この勾配部の先端に形成された湾曲面部と、回転軸下端の位置を保持する保持手段とを備え、該保持手段は、回転軸の下端が挿入される係合孔を有し、該係合孔の底面は、勾配部より鈍角の逆円錐形状とされて、湾曲面部は係合孔の底面に線接触するので、係合孔にて回転軸の外れを防止しつつ、回転軸の下端側先端の接触抵抗を低減させることが可能となる。これにより、回転軸を円滑に回転させることができるようになると共に、運搬や衝撃などの振動によって回転軸に傾方向に負荷が働いた場合でも、回転軸が傾いてしまうのを確実に防止することが可能となる。従って、上側のボールベアリングの負担を大幅に軽減させることができるようになるものである。
【００４１】
特に、保持手段を合成樹脂にて形成することにより、例えば、従来の電動機のブラケット下方に突出させた下突出部内に容易に保持させることができるようになる。これにより、従来の電動機の下側の軸受に対して大幅に安価に構成することが可能となる。従って、従来の電動機のブラケット下方に突出させた下突出部を変更せず、保持手段を下突出部内に挿入させることができ、総じて電動機のコストを大幅に低減させることができるようになるものである。
【図面の簡単な説明】
【図１】本発明の電動機の斜視図である。
【図２】本発明の電動機の正面図である。
【図３】本発明の電動機の縦断側面図である。
【図４】本発明の電動機の回転軸下端部分の縦断側面図である。
【図５】もう一つの電動機の回転軸下端部分の縦断側面図である。
【図６】他の軸受部材の斜視図である。
【図７】同図６の軸受部材の縦断側面図である。
【図８】もう一つの軸受部材の縦断側面図である。
【図９】従来の電動機の正面図である。
【図１０】同図９の従来の電動機の縦断側面図である。
【符号の説明】
１０　電動機
１１　固定子
１２　回転軸
１２Ａ　湾曲面部
１２Ｂ　勾配部
１３　回転子
１４　ボールベアリング
１５　ブラケット
１６　上突出部
１７　下突出部
１７Ｂ　収納部
１８　当接部材
１８Ａ　凹所
２１　当接部材
２２　保持部材
２２Ａ　貫通孔
２５　軸受部材
２６　係合孔
２６Ａ　傾斜部
【図１】
2004015940.tif 000003
【図２】
2004015940.tif 000004
【図３】
2004015940.tif 000005
【図４】
2004015940.tif 000006
【図５】
2004015940.tif 000007
【図６】
2004015940.tif 000008
【図７】
2004015940.tif 000009
【図８】
2004015940.tif 000010
【図９】
2004015940.tif 000011
【図１０】
2004015940.tif 000012